(57)【要約】着装置において、蒸着対象物が内設されるチャンバと、チャンバ内に存し、蒸着材料を収容するための筐体を有する蒸着源６と、蒸着材料を加熱する加熱部とを備え、筐体には、当該筐体の内と外とを連通し蒸着対象物に向けて蒸着材料の蒸気を吐出する複数の吐出口と、開閉可能な排気口とが開設されている。
2015136859.tif 000002
【特許請求の範囲】
【請求項１】
蒸着対象物が内設されるチャンバと、
前記チャンバ内に存し蒸着材料を収容するための筐体を有する蒸着源と、
前記蒸着材料を加熱する加熱部とを備え、
前記筐体には、当該筐体の内と外とを連通し前記蒸着対象物に向けて前記蒸着材料の蒸気を吐出する複数の吐出口と、開閉可能な排気口とが開設されている
蒸着装置。
【請求項２】
前記排気口に接続され、前記筐体内と前記チャンバ外とを連通している排気管と、
前記筐体内の気体を前記排気管を介して前記チャンバ外へ排気する排気手段とを備えた
請求項１に記載の蒸着装置。
【請求項３】
前記筐体には、さらに吸気口が開設され、
前記吸気口に接続され、前記筐体内と前記チャンバ外とを連通している吸気管と、
前記吸気管を介して前記筐体内に気体を吸気する吸気手段とを備えた
請求項１又は２に記載の蒸着装置。
【請求項４】
前記排気口は、前記筐体内と前記筐体外であって前記チャンバ内の空間とを連通している
請求項１に記載の蒸着装置。
【請求項５】
前記排気口は弁により開閉可能に構成されている
請求項１から４の何れか１項に記載の蒸着装置。
【請求項６】
前記筐体は、底板と前記底板を囲繞する周壁を有する筐体本体部と、
前記底板に対向し前記底板及び前記周壁とともに前記蒸着材料を収容する内部空間を形成する筐体蓋部とを有し、
前記筐体本体部には前記排気口が開設され、前記筐体蓋部には前記複数の吐出口が開設されている
請求項１に記載の蒸着装置。
【請求項７】
前記筐体には、前記蒸着材料を収容する坩堝が内設されている
請求項１に記載の蒸着装置。
【請求項８】
有機層を蒸着対象物に形成するための蒸着装置に用いる蒸着源であって、
蒸着材料を内部に収容する筐体を有し、
前記筐体には、当該筐体の内と外とを連通し前記蒸着対象物に向け前記蒸着材料の蒸気を吐出する複数の吐出口と、開閉可能な排気口とが開設されている
蒸着源。
【請求項９】
前記蒸着材料を収容する坩堝を備え、
前記筐体は、底板と前記底板を囲繞する周壁を有する筐体本体部と、
前記底板に対向し前記底板及び前記周壁とともに前記坩堝を収容する内部空間を形成する筐体蓋部とを有し、
前記筐体本体部には前記排気口が開設され、前記筐体蓋部には前記複数の吐出口が開設されている
請求項８に記載の蒸着源。
【請求項１０】
請求項１に記載の蒸着装置を用いて前記蒸着対象物に前記蒸着材料を蒸着する蒸着方法であって、
前記排気口が開いた状態で前記蒸着材料を所定時間脱ガス温度付近の温度に維持する工程と、
前記脱ガス温度付近の温度に維持した後に、前記排気口が閉じた状態で、前記蒸着材料を前記脱ガス温度よりも高い蒸着時加熱温度に維持して前記筐体に開設されている複数の吐出口から前記蒸着材料の蒸気を吐出させ、前記蒸着材料を前記蒸着対象物上に蒸着する工程と
を有する蒸着方法。
【請求項１１】
前記蒸着材料を脱ガス温度付近の温度に維持する工程では、前記排気口と前記チャンバ外とを連通している排気管を介して前記筐体内の気体を前記チャンバ外へ排気しながら前記蒸着材料を加熱する
請求項１０に記載の蒸着方法。
【請求項１２】
前記蒸着材料を脱ガス温度付近の温度に維持する工程では、前記筐体に開設されている吸気口と前記チャンバ外とを連通する吸気管を介して前記筐体内に気体を吸気しながら前記蒸着材料を加熱し、
前記蒸着材料を蒸着する工程では、前記吸気口を閉じた状態で前記蒸着材料を前記蒸着対象物上に蒸着する
請求項１１に記載の蒸着方法。
【請求項１３】
前記蒸着材料を脱ガス温度付近の温度に維持する工程では、前記筐体に開設されている吸気口と前記チャンバ外とを連通する吸気管を介して前記筐体内に気体を吸気しながら前記蒸着材料を加熱し、
前記蒸着材料を蒸着する工程では、前記吸気管を介して前記筐体内に気体を供給しながら前記蒸着材料を前記蒸着対象物上に蒸着する
請求項１１に記載の蒸着方法。
【請求項１４】
前記蒸着材料を脱ガス温度付近の温度に維持する工程では、前記排気口を介して前記筐体内の気体を前記筐体外であって前記チャンバ内の空間に排気しながら前記蒸着材料を加熱し、
前記蒸着材料を蒸着する工程では、前記排気口を閉じた状態で前記蒸着材料を前記蒸着対象物上に蒸着する
請求項１０に記載の蒸着方法。
【請求項１５】
請求項１０から１４の何れか１項に記載の蒸着方法を用いて、前記蒸着材料からなる層を前記蒸着対象物上に形成するデバイスの製造方法。
【発明の詳細な説明】
【技術分野】
【０００１】
本発明は、有機物質を用いたデバイスの製造に用いる蒸着装置及び蒸着装置を用いたデバイスの製造方法に関する。特に、蒸着材料を複数の吐出口からチャンバ内に吐出させる蒸着源を備えた蒸着装置に関する。
【背景技術】
【０００２】
有機発光素子や薄膜トランジスタ（Ｔｈｉｎ  Ｆｉｌｍ  Ｔｒａｎｓｉｓｔｏｒ、以後「ＴＦＴ」と略称する）等のデバイスにおいては、有機発光素子における有機発光層や、ＴＦＴにおける有機半導体層等、特定の機能を発揮するための有機機能層が用いられる。例えば、有機発光素子は、基板上に金属電極、複数層の有機機能層、透明電極層が順に積層された構成を有し、各層は主に真空蒸着法によりチャンバの中で形成される。真空蒸着法では、通常、チャンバ内の、例えば上部に基板を設け下部に蒸着源を設けた高真空のチャンバを用いる（例えば、特許文献１）。蒸着源には、例えば、内部に坩堝がありパウダー状の有機物質が収容されている。坩堝の周囲には加熱装置が設けられており、赤外線輻射熱を利用して坩堝を加熱する。蒸着源に収容された有機物質を加熱により蒸発させて有機物気体としてチャンバ内に拡散させる。そして、基板に接触した有機物気体が凝固して基板上に薄膜状の有機機能層を形成する。また、成膜の不均一性を防止するために、蒸着材料を入れた坩堝を複数の吐出口を設けた蓋で閉じる方法が提案されている（例えば、特許文献２）。
【先行技術文献】
【特許文献】
【０００３】
【特許文献１】特開２００５−３１０４７１号公報
【特許文献２】特開２０１１−１２７２１７号公報
【発明の概要】
【発明が解決しようとする課題】
【０００４】
ところが、真空蒸着法を用いて基板に蒸着材料を蒸着して機能膜を形成する際、チャンバ内へ蒸着材料を搬入する際に微量の大気中の水分等の不純物が蒸着材料に混入する場合がある。その場合、混入した不純物は蒸着材料との反応による蒸着材料の変質、ひいては、材料特性の劣化の要因となる。【０００５】
本発明は、蒸着材料の変質や材料特性の劣化を軽減する蒸着装置及び当該蒸着装置を用いた蒸着方法及びデバイスの製造方法を提供することを目的とする。
【課題を解決するための手段】
【０００６】
上記目的を達成するため、本発明の一態様に係る蒸着装置は、蒸着対象物が内設されるチャンバと、前記チャンバ内に存し蒸着材料を収容するための筐体を有する蒸着源と、前記蒸着材料を加熱する加熱部とを備え、前記筐体には、当該筐体の内と外とを連通し前記蒸着対象物に向けて前記蒸着材料の蒸気を吐出する複数の吐出口と、開閉可能な排気口とが開設されていることを特徴とする。
【発明の効果】
【０００７】
本発明の一態様に係る蒸着装置は、デバイス製造工程において、蒸着源の筐体内へ混入した不純物を筐体外に排出することができるので、不純物と蒸着材料とが反応することを防止することができる。そのため、蒸着工程において、蒸着材料の変質や材料特性の劣化を軽減することができる。
【図面の簡単な説明】
【０００８】
【図１】実施の形態１に係る蒸着装置１の構造を示す模式断面図である。
【図２】蒸着装置１内において基板に蒸着物質が蒸着される様子を示す模式図である。
【図３】実施の形態１に係る蒸着源６の構成を示す斜視図である。
【図４】実施の形態１に係る蒸着源６の模式断面図である。
【図５】（ａ）は実施の形態１に係る蒸着装置１を用いた蒸着方法における蒸着源６の温度プロファイルの一例、（ｂ）はチャンバ２内の圧力プロファイルの一例である。
【図６】実施の形態２に係る蒸着装置１Ｘの構造を示す模式断面図である。
【図７】実施の形態３に係る蒸着装置１Ａの構造を示す模式断面図である。
【図８】実施の形態３の変形例に係る蒸着装置１Ｂの構造を示す模式断面図である。
【図９】実施の形態４に係る蒸着装置１Ｃの構造を示す模式断面図である。
【図１０】実施の形態４に係る蒸着源６Ｃの模式断面図である。
【図１１】（ａ）は実施の形態４に係る蒸着装置１Ｃを用いた蒸着方法における蒸着源６Ｃの温度プロファイルの一例、（ｂ）はチャンバ２内の圧力プロファイルの一例である。
【図１２】（ａ）〜（ｄ）は実施の形態５に係るデバイスの製造方法の一態様である有機ＥＬ装置の製造方法を説明する工程図である。
【発明を実施するための形態】
【０００９】
≪発明を実施するための形態に至った経緯≫
真空蒸着法を用いて、蒸着対象物である基板等に蒸着を行う際、蒸着面内で蒸発レートが不均一となる場合に膜厚が面内で不均一となり、例えば、有機発光素子では輝度ばらつきの要因となる。特に、従来のポイントソースと呼ばれる点形状の蒸着源では基板全面に均一に蒸着することが難しい。基板に対して均一に材料を蒸着する方法として、各種検討が行われている。
【００１０】
例えば、ラインソースと呼ばれる基板の幅よりも長い線形状の蒸着源を用い、ラインソースの上方を基板をラインソース長手方向と垂直に搬送させることで、基板には面状の蒸着膜が形成される（例えば、特許文献１）。これにより、ポイントソースを複数用いた場合に比べてラインソース長手方向における膜厚の均一性が向上する。この場合、大型基板とラインソースとの距離を拡大して長手方向の蒸発レートにおいて多少ばらつきがあっても各蒸着源からの蒸着材料の飛散範囲を重複させて膜厚の均一性の向上を図る方法が考えられる。しかし、チャンバの容積が大きくなり真空引きに時間を要するため好ましくない。
【００１１】
そこで、特許文献２では、上述のとおり、成膜の不均一性を防止するために、蒸着材料を入れた坩堝を複数の吐出口を設けた蓋で閉じる方法が提案されている。この方法では、坩堝の上部の開口に蓋をすることにより、坩堝の内部を蒸発した蒸着材料の蒸気で充満され、充満した蒸気が坩堝内圧により各吐出口から同じ圧力で噴出されるものと考えられる。すなわち、一旦坩堝内部で蒸着材料の蒸気を充満させることで、蒸着材料に長手方向の温度ばらつきがあって場合でも、同じ蒸発レートでチャンバに蒸気を噴出させることができ、上記長手方向の温度ばらつきの蒸発レート変動への影響を軽減できると考えられる。
【００１２】
しかしながら、発明者は、この方法では別の課題が生じることを検討により見出した。すなわち、チャンバ内の坩堝内への蒸着材料の補充する際に蒸着源とともに不純物が坩堝内へ混入し、混入した不純物が蒸着材料との反応による蒸着材料の変質、ひいては、材料特性の劣化の要因となるという課題があることを見出した。
【００１３】
以下、発明者が見出した課題について説明する。チャンバ内の坩堝への蒸着材料の補充は、以下のプロセスにより行われる。
１）成膜終了後、チャンバ内の坩堝を室温まで戻し、その後、チャンバ内の圧力を大気圧にする。
２）坩堝をチャンバ外に取り出す。
３）坩堝に蒸着材料を充填する。蒸着材料は室温では液体又は固体からなる。
４）蒸着材料が充填された坩堝をチャンバ内に戻す。
５）チャンバ内を真空に引き、その後、坩堝を加熱する。
６）その後、蒸着による成膜プロセスを行う。
【００１４】
上記プロセスにおいて、３）により、坩堝内への蒸着材料の補充する際に蒸着材料とともに不純物が坩堝内へ混入し、４）により、坩堝をチャンバ内の戻す際に蒸着材料とともに不純物が混入する。そして、５）における加熱により蒸着材料や坩堝から不純物が坩堝内に蒸発する。
【００１５】
ここで、不純物は、例えば、大気中の水分や酸素であり、元々蒸着材料の内部に含まれていたり、大気開放したときに坩堝の内周面に吸着されている。上部開口が開放した通常の坩堝であれば、蒸発した不純物はチャンバ内に分散し真空装置でチャンバ外に排気されるので課題は生じない。
【００１６】
しかしながら、複数の吐出口を有する蓋を設ける方式では、蒸発した不純物が坩堝内で充満しチャンバに抜けにくい（又は、抜けるために時間を要する）。そして、その際蒸着材料は加熱により比較的活性の高い状態にあるので不純物と反応しやすい条件下にある。その結果、蒸着材料に有機材料を用いた場合には、例えば、有機材料分子のＨがＯＨ基に置き換る等、蒸着材料の劣化が生じる。また、坩堝内には不純物である水分の吸着量が多く内圧が急激に上昇する場合があり、この場合、蒸着材料の劣化が加速する。
【００１７】
これに対し、坩堝内への蒸着材料の補充する際に蒸着材料とともに坩堝内へ混入した不純物と蒸着材料とが反応することを防止できれば、蒸着材料の劣化防止に効果的であると考えられる。そこで、発明者は、デバイス製造工程において、有機機能層において面内膜厚の均一化を図りつつ、坩堝内へ混入した不純物と蒸着材料との反応を防止する方法について鋭意検討を行った。そして、以下の実施の形態に記載した蒸着材料の変質や材料特性の劣化を軽減することができる蒸着装置、及び当該蒸着装置を用いた蒸着方法及びデバイスの製造方法に想到したものである。
【００１８】
≪発明を実施するための形態の概要≫
本実施の形態に係る蒸着装置は、蒸着対象物が内設されるチャンバと、前記チャンバ内に存し蒸着材料を収容するための筐体を有する蒸着源と、前記蒸着材料を加熱する加熱部とを備え、前記筐体には、当該筐体の内と外とを連通し前記蒸着対象物に向けて前記蒸着材料の蒸気を吐出する複数の吐出口と、開閉可能な排気口とが開設されていることを特徴とする。
【００１９】
また、別の態様では、前記排気口に接続され、前記筐体内と前記チャンバ外とを連通している排気管と、前記筐体内の気体を前記排気管を介して前記チャンバ外へ排気する排気手段とを備えた構成であってもよい。
【００２０】
また、別の態様では、前記筐体には、さらに吸気口が開設され、
前記吸気口に接続され、前記筐体内と前記チャンバ外とを連通している吸気管と、
前記吸気管を介して前記筐体内に気体を吸気する吸気手段とを備えた構成であってもよい。
【００２１】
また、別の態様では、前記排気口は、前記筐体内と前記筐体外であって前記チャンバ内の空間とを連通している構成であってもよい。
【００２２】
また、別の態様では、前記排気口は弁により開閉可能に構成されていてもよい。
【００２３】
また、別の態様では、前記筐体は、底板と前記底板を囲繞する周壁を有する筐体本体部と、前記底板に対向し前記底板及び前記周壁とともに前記蒸着材料を収容する内部空間を形成する筐体蓋部とを有し、前記筐体本体部には前記排気口が開設され、前記筐体蓋部には前記複数の吐出口が開設されている構成であってもよい。
【００２４】
また、別の態様では、前記筐体には、前記蒸着材料を収容する坩堝が内設されている構成であってもよい。
【００２５】
また、別の態様では、有機層を蒸着対象物に形成するための蒸着装置に用いる蒸着源であって、蒸着材料を内部に収容する筐体を有し、前記筐体には、当該筐体の内と外とを連通し前記蒸着対象物に向け前記蒸着材料の蒸気を吐出する複数の吐出口と、開閉可能な排気口とが開設されている構成であってもよい。
【００２６】
また、別の態様では、前記蒸着材料を収容する坩堝を備え、前記筐体は、底板と前記底板を囲繞する周壁を有する筐体本体部と、前記底板に対向し前記底板及び前記周壁とともに前記坩堝を収容する内部空間を形成する筐体蓋部とを有し、前記筐体本体部には前記排気口が開設され、前記筐体蓋部には前記複数の吐出口が開設されている構成であってもよい。
【００２７】
また、本実施の形態に係る蒸着方法は、上記蒸着装置を用いて前記蒸着対象物に前記蒸着材料を蒸着する蒸着方法であって、前記排気口が開いた状態で前記蒸着材料を所定時間脱ガス温度付近の温度に維持する工程と、前記脱ガス温度付近の温度に維持した後に、前記排気口が閉じた状態で、前記蒸着材料を前記脱ガス温度よりも高い蒸着時加熱温度に維持して前記筐体に開設されている複数の吐出口から前記蒸着材料の蒸気を吐出させ、前記蒸着材料を前記蒸着対象物上に蒸着する工程とを有することを特徴とする。
【００２８】
また、別の態様では、前記蒸着材料を脱ガス温度付近の温度に維持する工程では、前記排気口と前記チャンバ外とを連通している排気管を介して前記筐体内の気体を前記チャンバ外へ排気しながら前記蒸着材料を加熱する構成であってもよい。
【００２９】
また、別の態様では、前記蒸着材料を脱ガス温度付近の温度に維持する工程では、前記筐体に開設されている吸気口と前記チャンバ外とを連通する吸気管を介して前記筐体内に気体を吸気しながら前記蒸着材料を加熱し、前記蒸着材料を蒸着する工程では、前記吸気口を閉じた状態で前記蒸着材料を前記蒸着対象物上に蒸着する構成であってもよい。
【００３０】
また、別の態様では、前記蒸着材料を脱ガス温度付近の温度に維持する工程では、前記筐体に開設されている吸気口と前記チャンバ外とを連通する吸気管を介して前記筐体内に気体を吸気しながら前記蒸着材料を加熱し、前記蒸着材料を蒸着する工程では、吸気管を介して前記筐体内に気体を供給しながら前記蒸着材料を前記蒸着対象物上に蒸着する構成であってもよい。
【００３１】
また、別の態様では、前記蒸着材料を脱ガス温度付近の温度に維持する工程では、前記排気口を介して前記筐体内の気体を前記筐体外であって前記チャンバ内の空間に排気しながら前記蒸着材料を加熱し、前記蒸着材料を蒸着する工程では、前記排気口を閉じた状態で前記蒸着材料を前記蒸着対象物上に蒸着する構成であってもよい。
【００３２】
また、  本実施の形態に係るデバイスの製造方法は、上記蒸着方法を用いて、前記蒸着材料からなる層を前記蒸着対象物上に形成することを特徴とする。
【００３３】
≪実施の形態１≫
以下、実施の形態実施の形態に係る蒸着装置及び蒸着装置を用いたデバイスの製造方法について、図面を参照しながら説明する。
【００３４】
＜蒸着装置１＞
（全体構成）
図１は実施の形態１に係る蒸着装置１の構造を示す模式断面図である。蒸着装置１は、基板１００の表面に蒸着物質を蒸着する装置である。図１に示すように、蒸着装置１は、チャンバ２を備えている。チャンバ２におけるチャンバ排気口３には真空ポンプ（不図示）が接続され、チャンバ２の中を真空に維持できるようになってなっている。チャンバ２の内部空間は、仕切板４によって上下に仕切られ、仕切板４の上を基板１００が搬送されるようになっている。チャンバ２の側壁には、基板１００をチャンバ２内に搬入する搬入口５ａと、基板１００をチャンバ２から搬出する搬出口５ｂが設けられている。基板１００は搬送手段によって、搬入口５ａから間欠的にチャンバ２内に搬入され、仕切板４上を通過して搬出口５ｂから搬出される。
【００３５】
チャンバ２内における仕切板４の下方には、蒸着物質を噴出させる蒸着源６が設置されている。蒸着源６から噴出させる蒸着物質は、例えば、有機ＥＬ素子の電極や機能層を形成する物質であって、無機物あるいは有機物である。無機物としては、例えば、陰極を形成するＡｌをはじめとして、Ｂａ、Ｎｉ、Ｌｉ、Ｍｇ、Ａｕ、Ａｇなどの金属材料、ＭｇＦ2、ＳｉＯ2、Ｃｒ2Ｏ3などの金属酸化物材料が挙げられる。有機物としては、例えば、有機ＥＬ素子の機能層を形成する材料であるジアミン、ＴＰＤ、クマリン、キナクリドンが挙げられる。
【００３６】
仕切板４には、この蒸着源６から放出される蒸着物質が通過する窓４ａが開設され、この窓４ａはシャッタ７によって開閉できるようになっている。このような蒸着装置１において、シャッタ７を開いた状態で、蒸着源６から蒸着物質を噴出しながら、基板１００を搬送することによって、蒸着源６から噴出される蒸着物質が窓４ａを通って、基板１００の下面に蒸着される。
【００３７】
チャンバ２の内部には、蒸着源６から基板１００に向けて蒸着物質が単位時間当たりに供給される量（蒸発レート）を測定するセンサ８が設置されている。センサ８によって測定される蒸着物質の蒸発レートを参照することによって、基板１００を搬送する速度などが設定される。なお、蒸着物質を基板１００にパターン蒸着する場合には、パターンが形成されたマスクを基板１００の下面側に設けて蒸着を行う。
【００３８】
図２は、蒸着装置１内において基板１００に蒸着物質が蒸着される様子を示す模式断面図である。当図において窓４ａは開放された状態である。図２に示すように、蒸着源６は、搬送方向Ｃと直交する幅方向Ｄに伸長する直線状の蒸着源（ラインソース）である。基板１００が搬送方向Ｃに搬送されながら、蒸着源６からの蒸着物質が窓４ａを通って基板１００の下面に蒸着される。
【００３９】
（蒸着源６）
図３は、蒸着源６の構成を示す斜視図である。図４は、蒸着源６の模式断面図である。蒸着源６は、蒸着物質の基になる蒸着材料１０１を収納する坩堝１０と、その坩堝１０を収納する筐体２０と、筐体２０の周囲と下側に取り付けられた加熱部３０とを備え、筐体２０及び加熱部３０はチャンバ２の下空間に取り付けられている。坩堝１０は、蒸着材料１０１が収納される長尺状の容器であって、長方形状の底板１１と側板１２とを有し、その上面側は開放されている。坩堝１０は、例えば、ステンレス板材を直方体状に成型することによって作製することができる。坩堝１０を作製する素材としては、ステンレス板の他に、カーボン、チタン、タンタル、モリブデンなどの板材を用いることもできる。筐体２０は、長尺の直方体形状であって、その内部空間に坩堝１０を収納することができるようになっている。
【００４０】
筐体２０は、坩堝１０を収納する凹部空間２１ｃを有する長尺直方体状の筐体本体部２１と、凹部空間２１ｃの上面開口を覆う筐体蓋部２２と、筐体本体部２１の一端開口部を開閉する開閉扉２４とからなり、筐体蓋部２２には複数の吐出口２３が列設されている。筐体本体部２１、筐体蓋部２２、開閉扉２４は、それぞれ、金属板（例えばステンレス板）を成形することによって作製されている。
【００４１】
筐体本体部２１は、長方形状の底板２１ａと周壁２１ｂとを有し、筐体蓋部２２は周壁２１ｂの上にネジなどで固定され、開閉扉２４は筐体本体部２１の一端部にヒンジなどによって開閉可能に取り付けられている。
【００４２】
筐体本体部２１の周壁２１ｂには、筐体２０内の気体を筐体２０外へ排出するための１又は複数の排気口２１ｄ１が開設されている。各排気口２１ｄ１の開口面積は、各吐出口２３の開口面積よりも大きく構成してもよい。気体の排出に要する時間を短縮できる。さらに、排気口２１ｄ１に接続され筐体２０内とチャンバ２外とを連通している排気管５１、排気管５１と接続された、例えば真空ポンプ、吸引ポンプの強制排気手段、又は逆止弁、排出用配管等の受動的排気手段からなる排気手段７１が配設されている。また、排気管５１には、排気手段７１までの経路に排気口２１ｄ１の開閉機構である弁６１が配設され、排気口２１ｄ１は開閉可能に構成されている。排気手段７１を動作させて弁６１を開くことにより、筐体２０内の気体を排気管５１を介してチャンバ２外へ排出することができる（図１における矢印Ｂ）。
【００４３】
また、筐体本体部２１の周壁２１ｂには、筐体２０内へ気体を導入するための１又は複数の吸気口２１ｄ２が開設されている。さらに、吸気口２１ｄ２に接続され筐体２０内とチャンバ２外とを連通している吸気管５２、吸気管５２と接続された吸気手段７２が配設されている。また、吸気手段７２は、例えばアルゴン等の不活性ガスが充填されたタンクとタンクに接続されたガス供給用のポンプである。吸気管５２には、吸気手段７２までの経路に吸気気口２１ｄ２の開閉機構である弁６２が配設され、吸気気口２１ｄ２は開閉可能に構成されている。吸気手段７２を動作させて弁６２を開くことにより、筐体２０内へ吸気管５２を介して、例えば不活性ガス等の気体を導入することができる（図１における矢印Ａ）。さらに、同時に排気手段７１を動作させて弁６１を開くことにより、筐体２０内の気体を排気管５１を介してチャンバ２外へ排出することができる。このとき、排気手段７１として、強制排気手段を用いる場合には、筐体２０内の気体を排気管５１を介してチャンバ２外へ強制排気することができる。排気手段７１として、逆止弁、排出用配管等の受動的排気手段を用いる場合には、筐体２０内に導入した不活性ガスのよる押出し効果により筐体２０内の気体を筐体２０外に排気することができる。
【００４４】
加熱部３０は、筐体本体部２１の底板２１ａ及び周壁２１ｂの外面下部を覆うように設置されている。この加熱部３０は、例えばシース型ヒータ３１が加熱部ケース３２に収納されて構成されている。加熱部３０には、加熱部コントローラ４０が接続されている。また、筐体２０には蒸着源６の温度を測定する温度センサ４１が取り付けられてる。そして、加熱部コントローラ４０は、温度センサ４１で測定する温度を監視しながら、その温度が所定の設定温度（図５（ａ）の温度プロファイル参照）と一致するように、加熱部３０の出力をコントロールする。
【００４５】
このような構成の蒸着源６において、加熱部３０で坩堝１０内の蒸着材料１０１が加熱されて生成される蒸気（蒸着物質）は、筐体２０内に充満して、筐体蓋部２２に列設されている複数の吐出口２３から噴出される。このとき、坩堝１０の上部の筐体本体部２１の上部開口に筐体蓋部２２をしているので、筐体２０の内部が蒸発した蒸着材料で充満させることができ、筐体２０内に充満した蒸着材料１０１の蒸気は筐体２０内圧により各吐出口２３から同じ圧力で噴出される。すなわち、筐体２０の内部空間は、蒸着材料１０１の蒸気を一時的に蓄えるバッファとして機能し、筐体２０の内部圧力が筐体２０の外よりも若干高い状態で、蒸着物質がＹ方向に列設された複数の各吐出口２３から整流されて噴出される。この方法により、蒸発前の蒸着材料に長手方向の温度ばらつきがあっても、一旦筐体２０内部で蒸発した蒸着材料を充満させることができるので、同じ蒸発レートでチャンバ２に噴出させることができる。その結果、基板幅方向における膜厚の均一性が向上する。
【００４６】
＜蒸着装置１を用いて行う蒸着プロセス＞
蒸着装置１を用いて基板１００の表面に蒸着を行う工程を説明する。図５（ａ）は蒸着装置１において蒸着源６の温度をコントロールするときの時間ごとの設定温度の変化を示す温度プロファイルの一例である。（ｂ）はチャンバ２内の圧力プロファイルの一例である。蒸着装置１では、この図５（ａ）に示す温度プロファイルに基づいて蒸着源６の温度と圧力をコントロールする。
【００４７】
先ず、図３に示すように、坩堝１０に蒸着材料１０１を充填し、その坩堝１０を、チャンバ２内の筐体２０の中に入れて、開閉扉２４を閉める。
【００４８】
シャッタ７を閉じた状態で、搬入口５ａからチャンバ２内に基板１００を搬入し、真空ポンプを駆動してチャンバ２内を大気圧Ｐ０から真空Ｐ１まで減圧する。
【００４９】
チャンバ２内が真空Ｐ１まで減圧されたら、時刻ｔ０において、チャンバ２内を真空に保った状態で、蒸着源６における加熱部３０を駆動して、坩堝１０を加熱する。期間ｔ０〜ｔ１においては、蒸着源６の温度を蒸着材料から不純物ガスの放出がなされる脱ガス温度Ｔ１まで、急な温度勾配で昇温させる。脱ガス温度Ｔ１は、蒸着材料１０１に吸着されている水分などの不純物が離脱する温度であって、例えば１００℃〜２００℃の範囲内にある。ここで、チャンバ２内を真空Ｐ１まで減圧した状態で坩堝１０を加熱することにより、チャンバ２内の不純物をある程度除去したのち、坩堝１０の加熱を開始することができる。そのため、例えば、仮にチャンバ２内を大気圧Ｐ０に保ったまま坩堝１０を加熱した場合と較べて、チャンバ２内の不純物と蒸着材料との反応を軽減することができるものと考えられる。
【００５０】
次に、時刻ｔ１において蒸着源６の温度が、脱ガス温度Ｔ１に達したら、時刻ｔ１〜ｔ２までの期間ＴAにおいては、温度Ｔ１付近の一定温度もしくは緩やかな温度勾配を維持
する。
【００５１】
期間ＴAでは、吸気手段７２を動作させて弁６２を開くことにより、筐体２０内へ吸気
管５２を介して、例えば不活性ガス等の気体を導入する。並行して、排気手段７１を動作させて弁６１を開くことにより、筐体２０内の気体を排気管５１を介してチャンバ２外へ排出する。不活性ガスを筐体２０内に導入してその押出し効果により筐体２０内の気体を筐体２０外に排気することにより、後述する排気のみを行う場合と較べて排気に要する期間ＴAを短縮することができる。期間ＴAは、例えば、予め蒸着材料を加熱する実験を行い放出される不純物量をガス分析で測定することにより、十分に不純物が除去される時間を求めて定めることができる。
【００５２】
ここで、排気期間における蒸着源６の温度を脱ガス温度Ｔ１以上蒸着時加熱温度Ｔ２（以後、「蒸着温度Ｔ２」とする）未満に維持することにより、排気期間は温度を不純物は蒸発するが蒸着材料１０１の蒸発は生じない構成とすることができる。これにより蒸着材料の無駄な消費を防止し低コスト化に資することができる。
【００５３】
脱ガスに必要な期間ｔ１〜ｔ２を経過した後、期間ｔ２〜ｔ３では、吸気手段７２を停止させて弁６２を閉じることにより、筐体２０内への気体の導入を停止する。併せて、排気手段７１の動作を停止させて弁６１を閉じることにより、筐体２０内の気体のチャンバ２外への排気を停止する。
【００５４】
次に、期間ｔ２〜ｔ３では蒸着温度Ｔ２まで昇温させる。この蒸着温度Ｔ２は、坩堝１０内の蒸着材料１０１が蒸発開始する温度Ｔ３よりも高い温度であって、例えば２５０〜３５０℃の範囲内にある。
【００５５】
期間ｔ３〜ｔ４では、蒸着温度Ｔ２に維持し、基板１００に対して蒸着を行う。すなわち、センサ８によって測定される蒸着材料の蒸発レートが安定すれば、シャッタ７を開けて、基板１００を搬送しながら、基板１００の下面に蒸着物質を蒸着させる。これによって、基板１００の下面には、蒸着物質が均一的に蒸着される。
【００５６】
基板１００に対する蒸着が終了すれば、シャッタ７を閉じて、搬出口５ｂから基板１００を取り出す。このような工程を繰り返すことによって、複数の基板１００に蒸着を行う。
【００５７】
蒸着に伴って坩堝１０内に収容されている蒸着材料１０１が少なくなってきたら、蒸着源６の温度を下げて、真空ポンプを停止し、開閉扉２４を開けて坩堝１０を筐体２０から取り出して、坩堝１０に蒸着材料１０１を補給する。
【００５８】
なお、以上の説明においては、期間ｔ０〜ｔ１における昇温中および期間ｔ２〜ｔ３における昇温中およびｔ４〜ｔ５における降温中は気体の導入及び排気を停止する構成としたが、昇温中および降温中も引き続き気体の導入及び排気を継続する構成としてもよい。
【００５９】
＜効果＞
以上説明したとおり、上記蒸着装置１を用いた蒸着プロセスでは、蒸着源６の温度を、脱ガス温度Ｔ１付近に維持した状態で、所定の期間ＴAだけ気体を筐体２０内に導入しつ
つ同時に筐体２０内の気体をチャンバ２外に排気する。これにより、蒸着材料１０１を補充する際に蒸着源６とともに蒸着源６の筐体２０内へ混入した不純物を筐体２０外に排出することができる。
【００６０】
上述のとおり、複数の吐出口２３を有する筐体蓋部２２を設け蒸着源６を用いた蒸着装置では、筐体２０とチャンバ２との流通を抑え筐体２０の内圧を高めるために吐出口２３を設けているので、蒸発した不純物が筐体２０で充満しチャンバ２に抜けにくい（又は、抜けるために時間を要する）という特性があった。そして、その際蒸着材料１０１は加熱により比較的活性の高い状態にあるので不純物と反応しやすい条件化にあり、特に蒸着材料１０１に有機材料を用いた場合には、例えば、有機材料分子のＨがＯＨ基に置き換る等、蒸着材料の劣化が生じていた。また、筐体２０内には不純物である水分の吸着量が多く内圧が急激に上昇する場合があり、蒸着材料１０１の劣化が加速することが考えられた。
【００６１】
これに対し、本実施の形態に係る蒸着装置１では、蒸着材料１０１とともに蒸着源６の筐体２０内へ混入した不純物を筐体２０外に排出することができるので、不純物と蒸着材料とが反応することを防止することができる。その結果、蒸着工程において蒸着材料の変質や材料特性の劣化を軽減することができる。また、脱ガス温度Ｔ１付近で温度を維持することによって、不純物ガスが一気に蒸発するのを抑えることができる。
【００６２】
≪実施の形態２≫
図６は、実施の形態２に係る蒸着装置１Ｘの構造を示す模式断面図である。蒸着装置１Ｘは、実施の形態１に係る蒸着装置１から、排気口２１ｄ１、排気管５１、排気手段７１、弁６１を取り除いた構成を採る。それ以外に構成については、蒸着装置１Ｘは、蒸着装置１と同じ構成を採る。
【００６３】
この蒸着装置１Ｘ及び蒸着装置１Ｘを用いた蒸着方法では、蒸着源６の温度を、脱ガス温度Ｔ１付近に維持した状態で、所定の期間ＴAだけ気体を筐体２０内に導入しつつ同時
に筐体２０内の気体をチャンバ２外に排気する点に特徴がある。図６に示すように、蒸着装置１Ｘでは蒸着源６Ｘの吸気口２１ｄ２に接続された吸気管５２は吸気手段７２と接続されている。蒸着装置１Ｘを、図５（ａ）及び（ｂ）に示す温度及び圧力プロファイルで運転する。このとき、図５（ａ）における期間ＴAにおいて、蒸着源６Ｘの温度を、脱ガ
ス温度Ｔ１付近に維持した状態で、吸気手段７２を動作させて吸気口２１ｄ２の開閉機構である弁６２を開くことにより、所定の期間ＴAだけ筐体２０内へ吸気管５２を介して、例えば不活性ガス等の気体を導入する（図６における矢印Ａ）。これにより、蒸着装置１Ｘにおいても蒸着装置１と同様に、蒸着材料１０１を補充する際に蒸着源６Ｘとともに混入した不純物をチャンバ２外に排出することができる。そのため、蒸着工程において、蒸着材料の変質や材料特性の劣化を軽減することができる。
【００６４】
また、蒸着プロセス中にも弁６２を開いて気体の導入を継続する構成としてもよい。蒸着プロセス中にも不純物をチャンバ２外に排出できるからである。なお、この場合において、蒸着装置１のように排気手段７１を用いた排気は行わないので、蒸着プロセス中に蒸着材料がチャンバ２外に排出されことはない。
【００６５】
また、蒸着装置１Ｘにおいて、期間ｔ０〜ｔ１における昇温中および期間ｔ２〜ｔ３における昇温中およびｔ４〜ｔ５における降温中は気体の導入及び排気を停止する構成としたが、昇温中および降温中も引き続き気体の排気を継続する構成としてもよい。
【００６６】
≪実施の形態３≫
以上、実施の形態１に係る蒸着装置１及び蒸着装置１を用いた蒸着方法について説明したが、本発明が上述の実施の形態１で示した例に限られないことは勿論である。例示した構成を以下の構成とすることも可能である。上記した実施の形態に係る蒸着装置１及び蒸着装置１を用いた蒸着方法では、蒸着源６の温度を、脱ガス温度Ｔ１付近に維持した状態で、所定の期間ＴAだけ気体を筐体２０内に導入しつつ同時に筐体２０内の気体をチャン
バ２外に排気する構成とした。しかしながら、蒸着源６とともに混入した不純物を筐体２０外に排出することができる構成であれば良く、下記の構成とすることも可能である。
【００６７】
図７は、実施の形態３に係る蒸着装置１Ａの構造を示す模式断面図である。図７に示すように、蒸着装置１Ａは、実施の形態１に係る蒸着装置１から、吸気口２１ｄ２、吸気管５２、吸気手段７２、弁６２を取り除いた構成を採る。それ以外に構成については、蒸着装置１Ａは、蒸着装置１と同じ構成を採る。
【００６８】
図７に示すように、蒸着装置１Ａでは蒸着源６Ａの排気口２１ｄ１に接続された排気管５１は排気手段７１と接続されている。蒸着装置１Ａを、図５（ａ）及び（ｂ）に示す温度及び圧力プロファイルで運転し、図５（ａ）における期間ＴAにおいて、蒸着源６Ａの
温度を、脱ガス温度Ｔ１付近に維持した状態で、排気手段７１を動作させて排気口２１ｄ１の開閉機構である弁６１を開くことにより、所定の期間ＴAだけ筐体２０内の気体を排
気管５１を介してチャンバ２外へ排気する構成としている。排気手段７１は、例えば真空ポンプ、吸引ポンプの強制排気手段、又は逆止弁、排気用配管等の受動的排気手段からなる。これにより、蒸着装置１Ａにおいても蒸着装置１と同様に、蒸着材料１０１を補充する際に蒸着源６とともに混入した不純物をチャンバ２外に排出することができる。そのため、蒸着工程において、蒸着材料の変質や材料特性の劣化を軽減することができる。また、蒸着プロセス中に蒸着材料がチャンバ２外に排出されることを防止するため、蒸着プロセス中には弁６１を閉じて気体の排気を停止することが好ましい。
【００６９】
なお、期間ｔ０〜ｔ１における昇温中および期間ｔ２〜ｔ３における昇温中およびｔ４〜ｔ５における降温中は気体の導入及び排気を停止する構成としたが、昇温中および降温中も引き続き気体の排気を継続する構成としてもよい。
【００７０】
＜変形例＞
図８は、実施の形態３の変形例に係る蒸着装置１Ｂの構造を示す模式断面図である。蒸着装置１Ｂは、蒸着装置１Ａから、排気手段７１を取り除いた構成を採る。蒸着装置１Ｂでは、蒸着源６Ｂの排気口２１ｄ１に接続された排気管５１はチャンバ２を真空引きするための真空ポンプと接続されている。それ以外に構成については、蒸着装置１Ｂは、蒸着装置１Ａと同じ構成を採る。
【００７１】
蒸着装置１Ｂを、図５（ｂ）に示す圧力プロファイルで運転し真空ポンプを動作させた状態で、図５（ａ）における期間ＴAにおいて、蒸着源６Ｂの温度を脱ガス温度Ｔ１付近
に維持した状態で、排気口２１ｄ１の開閉機構である弁６１を開くことにより、所定の期間ＴAだけ筐体２０内の気体を排気管５１を介してチャンバ２外へ排気する構成としてい
る。
【００７２】
これにより、蒸着装置１Ｂでは、排気手段７１を省略した簡易な構成において、蒸着装置１Ａと同様に、蒸着材料１０１に混入した不純物をチャンバ２に排出することができる。そのため、蒸着工程において、蒸着材料の変質や材料特性の劣化を軽減することができる。
【００７３】
なお、以上の説明においては、蒸着プロセス中には弁６１を閉じて気体の排気を停止することが好ましい。蒸着プロセス中に蒸着材料がチャンバ２外に排出されることを防ぎ蒸着材料の無駄な消費を防止できるからである。
【００７４】
≪実施の形態４≫
以上、実施の形態１に係る蒸着装置１及び蒸着装置１を用いた蒸着方法について説明したが、本発明が上述の実施の形態１で示した例に限られないことは勿論である。例示した構成を以下の構成とすることも可能である。上記した実施の形態に係る蒸着装置１及び蒸着装置１を用いた蒸着方法では、蒸着源６の温度を、脱ガス温度Ｔ１付近に維持した状態で、所定の期間ＴAだけ気体を筐体２０内に導入しつつ同時に筐体２０内の気体をチャン
バ２外に排気する構成とした。しかしながら、蒸着源に混入した不純物を筐体２０外に排出することができる構成であれば良く、下記の構成とすることも可能である。
【００７５】
図９は、実施の形態４に係る蒸着装置１Ｃの構造を示す模式断面図である。図１０は、蒸着源６Ｃの断面模式図である。図１１（ａ）は、実施の形態４に係る蒸着装置１Ｃを用いた蒸着方法における蒸着源６Ｃの温度プロファイルの一例、（ｂ）はチャンバ２内の圧力プロファイルの一例である。
【００７６】
図９に示すように、蒸着装置１Ｃは、実施の形態３の変形例に係る蒸着装置１Ｂから、さらに排気管５１を取り除き、１以上の排気口２１ｄ１に接続され筐体２０内とチャンバ２内とを連通している排気管５３、排気管５３の経路中に排気口２１ｄ１の開閉機構である弁６３が配設された構成を採る。蒸着装置１Ｃでは、排気口２１ｄ１の開口面積が、各吐出口２３の開口面積よりも大きいことが好ましい。また、他の実施形態（蒸着装置１、１Ａ、１Ｂ）における排気口２１ｄ１の開口面積よりも大きいことが好ましい。それ以外に構成については、蒸着装置１Ａは、蒸着装置１と同じ構成を採る。この構成により、弁６３を開くことにより、筐体２０内の気体を排気管５３を介してチャンバ２内へ排気することができる。
【００７７】
実施の形態４に係る蒸着装置１Ｃを、図１１（ａ）及び（ｂ）に示す温度及び圧力プロファイルで運転し、図１１（ａ）における期間ＴAで示される蒸着源６Ｃの温度が脱ガス
温度Ｔ１付近に維持された状態において弁６３を開状態とすることにより、所定の期間ＴAだけ筐体２０内の気体を排気管５３を介してチャンバ２内へ排気することができる。
【００７８】
これにより、蒸着装置１Ｃにおいては、蒸着材料１０１を補充する際に蒸着源６とともに筐体２０内へ混入した不純物を、筐体２０外であってチャンバ２内の空間に排出することができる。そして、チャンバ２内に排出された不純物は、チャンバ２内に分散し真空装置でチャンバ外に排気される。
【００７９】
また、期間ｔ３〜ｔ４における蒸着プロセス中は弁６３を閉じ気体の排気を停止することが好ましい。蒸着プロセス中は蒸着材料１０１の蒸気を吐出口２３から蒸着対象物１００に向けて噴出する方が、蒸着材料１０１をより効率的に蒸着対象物１００への成膜に利用できるからである。
【００８０】
＜効果＞
以上説明したとおり、上記蒸着装置１Ｃを用いた蒸着プロセスでは、蒸着源６Ｃの温度を、脱ガス温度Ｔ１付近に維持した状態で、所定の期間ＴAだけ気体を筐体２０内に導入
しつつ同時に筐体２０内の気体を筐体２０外であってチャンバ２内の空間に排気する。これにより、蒸着材料１０１を補充する際に蒸着源６とともに蒸着源６の筐体２０内へ混入した不純物を筐体２０外へ排出することができる。
【００８１】
ここで、上述のとおり、複数の吐出口２３を有する筐体蓋部２２を設けた蒸着源を用いた蒸着装置では、筐体２０とチャンバ２との流通を抑え筐体２０の内圧を高めている。そして、その際蒸着材料１０１は加熱により比較的活性の高い状態にあるので不純物と反応しやすく、また蒸着材料１０１に有機材料を用いた場合には蒸着材料の劣化が生じやすい条件化にあった。これに対し、蒸着装置１Ｃでは、筐体２０内へ混入した不純物を少なくとも筐体２０外に排出することができるので、不純物と蒸着材料とが筐体２０内で反応することを防止できる。その結果、蒸着工程において、蒸着材料の変質や材料特性の劣化を軽減することができる。
【００８２】
≪実施の形態５≫
（有機ＥＬ素子の製造工程）
図１２は、実施の形態５に係るデバイスの製造方法の一態様である有機ＥＬ装置の製造方法を説明する工程図である。図１２に示す基板１は、ＴＦＴ基板上に、感光性樹脂を塗布しフォトマスクを介した露光・現像によって平坦化膜が形成されたものである。
【００８３】
図１２（ａ）に示すように、基板１００上に、陽極２００、ＩＴＯ層３００、ホール注入層４００を順に形成し、ホール注入層４００上にバンク５００を形成する。それに伴ってバンク５００どうしの間に素子形成領域となる凹部空間５００ａが形成される。
【００８４】
陽極２００は、例えばスパッタリングによりＡｇ薄膜を形成し、当該Ａｇ薄膜を例えばフォトリソグラフィ法でマトリックス状にパターニングすることによって形成する。なお、Ａｇ薄膜は、上述の蒸着方法を用いて真空蒸着等で形成してもよい。
【００８５】
ＩＴＯ層３００は、例えばスパッタリングによりＩＴＯ薄膜を形成し、当該ＩＴＯ薄膜を例えばフォトリソグラフィ法でパターニングすることにより形成する。
【００８６】
ホール注入層４００は、ＷＯｘ又はＭｏｘＷｙＯｚを含む組成物を用いて、上述の蒸着方法を用いた真空蒸着法や、スパッタリングなどの技術で形成する。
【００８７】
バンク５００は、ホール注入層４００上にバンク材料を塗布する等によってバンク材料層を形成し、形成したバンク材料層の一部を除去することによって形成する。バンク材料層の除去は、バンク材料層上にレジストパターンを形成し、その後、エッチングすることにより行うことができる。バンク材料層の表面に、必要に応じてフッ素系材料を用いたプラズマ処理等によって撥液処理を施してもよい。バンク５００はラインバンクであって、基板１上には、複数のラインバンクが互いに平行に形成されている。
【００８８】
次に、機能層としての発光層６００を形成する。図１２（ｂ）に示すように、バンク５００同士間のサブピクセル形成領域となる凹部空間５００ａに、インクジェット法により有機発光層の材料を含むインクを充填し、印刷成膜したその膜を乾燥させ、ベーク処理することによって、発光層６００を形成する。
【００８９】
図１２では１対のバンク５００間に発光層６００が１つだけ示されているが、基板１上には、赤色発光層、緑色発光層、青色発光層が、図１２の紙面横方向に繰り返して並んで形成される。この工程では、Ｒ、Ｇ、Ｂいずれかの機発光材料を含むインク６００ａを充填し、充填したインク６００ａを減圧下で乾燥させることによって、図１２（ｃ）に示すように発光層６００を形成する。
【００９０】
なお、図１２では示していないが、発光層６００の下には、機能層としてのホール輸送層をウェット方式で形成してもよい。また、発光層６００の上に機能層としての電子輸送層をウェット方式で形成してもよい。
【００９１】
次に、図１２（ｄ）に示すように、電子注入層７００、陰極８００、封止層９００を順次形成する。
【００９２】
電子注入層７００は、例えば、上述の蒸着方法を用いた真空蒸着によって、例えばアルカリ金属あるいはアルカリ土類金属をドープした有機材料を薄膜成形する。
【００９３】
陰極８００は、例えばスパッタリング法によってＩＴＯを薄膜成形する。
【００９４】
封止層９００は、樹脂封止材料を塗布した後、ＵＶを照射してその樹脂封止材料を硬化させて形成する。さらに、その上に板ガラスを載せて封止してもよい。
【００９５】
以上の工程を経て有機ＥＬ装置が完成しデバイスが製造される。
【００９６】
ホール注入層４００、電子注入層７００等の有機機能層を、実施の形態１から３に示した蒸着方法により成膜をすことにより、蒸着材料１０１とともに蒸着源６の筐体２０内へ混入した不純物を筐体２０外へ排出することができるので、不純物と蒸着材料とが反応することを防止することができる。その結果、蒸着工程において、蒸着材料の変質や材料特性の劣化を軽減することができる。また、蒸着により成膜した有機機能層に含まれる不純物量を削減でき、不純物の少ない有機機能層を成膜できる。また、Ａｇ薄膜等の金属層についても、実施の形態１から４に示した蒸着方法を適用することができる。
【００９７】
≪まとめ≫
以上、説明したとおり上記各実施の形態に係る蒸着装置では、蒸着対象物１００が内設されるチャンバ２と、チャンバ２内に存し、蒸着材料１０１を収容するための筐体２０を有する蒸着源６と、蒸着材料１０１を加熱する加熱部３０とを備え、筐体２０には、当該筐体２０の内と外とを連通し蒸着対象物１００に向けて蒸着材料１０１の蒸気を吐出する複数の吐出口２３と、開閉機構を備えた排気口２１ｄ１とが開設されている構成を採る。
【００９８】
これにより、蒸着材料１０１とともに蒸着源６の筐体２０内へ混入した不純物を筐体２０外に排出することができるので、不純物と蒸着材料とが反応することを防止することができる。その結果、蒸着工程において、蒸着材料の変質や材料特性の劣化を軽減することができる。
【００９９】
≪変形例≫
１．上記実施の形態では、チャンバ２に蒸着源６が１つだけ設けられていたが、チャンバ内に２つ以上の蒸着源を設けることもでき、その場合も、各蒸着源において、上記実施の形態で説明した構成を適用することによって、蒸着材料の変質や材料特性の劣化を軽減することができる。
【０１００】
２．上記実施の形態では、図１に示すように、蒸着源６の筐体２０がチャンバ２の底板上に設置されていたが、筐体２０はチャンバ２と一体形成されていてもよい。
【０１０１】
３．上記実施の形態では、蒸着源が長尺状のラインソースである場合について説明したが、必ずしもラインソースでなくてもよく、例えば円筒状の蒸着源であっても同様に実施することができる。すなわち、筐体の凹空間に坩堝が収納され、複数の吐出口が開設された蓋体で凹空間の開口部が覆われた蒸着源であれば、蒸着源の形状に関わらず、坩堝の底面や坩堝の鍔に複数の支持凸部を設けたり、筐体に複数の支持凸部を設けることによって、同様に坩堝と筐体との固着を抑制する効果を得ることができる。
【０１０２】
４．上記実施の形態５では、１つのインクジェットヘッドを有する液滴吐出装置を用いて、インクを基板に塗布し発光層６００を形成した。しかしながら、例えば発光層６００を蒸着法により成膜することもできる。その場合、実施の形態１から４に示した蒸着方法を適用して成膜することもでき、成膜した有機機能層に不純物が混入することを防止できる。
【０１０３】
５．上記の工程が実行される順序は、本発明を具体的に説明するために例示するためのものであり、上記以外の順序であってもよい。また、上記工程の一部が、他の工程と同時（並列）に実行されてもよい。また、各実施の形態に係る液滴吐出装置の吐出口検査方法、液滴吐出装置の検査方法、検査方法、デバイスの製造方法、及びその変形例の機能のうち少なくとも一部を組み合わせてもよい。さらに、本実施の形態に対して当業者が思いつく範囲内の変更を施した各種変形例も本発明に含まれる。
【０１０４】
≪補足≫
以上で説明した実施の形態は、いずれも本発明の好ましい一具体例を示すものである。実施の形態で示される数値、形状、材料、構成要素、構成要素の配置位置及び接続形態、工程、工程の順序などは一例であり、本発明を限定する主旨ではない。また、実施の形態における構成要素のうち、本発明の最上位概念を示す独立請求項に記載されていない工程については、より好ましい形態を構成する任意の構成要素として説明される。
【０１０５】
また、発明の理解の容易のため、上記各実施の形態で挙げた各図の構成要素の縮尺は実際のものと異なる場合がある。また本発明は上記各実施の形態の記載によって限定されるものではなく、本発明の要旨を逸脱しない範囲において適宜変更可能である。
【０１０６】
さらに、蒸着装置においては基板上に回路部品、リード線等の部材も存在するが、電気的配線、電気回路について当該技術分野における通常の知識に基づいて様々な態様を実施可能であり、本発明の説明として直接的には無関係のため、説明を省略している。尚、上記示した各図は模式図であり、必ずしも厳密に図示したものではない。
【産業上の利用可能性】
【０１０７】
本発明は、蒸着装置、及び蒸着法を用いて製造する、例えば有機発光素子や、ＴＦＴ基板等のデバイスの製造分野全般等で広く利用できる。
【符号の説明】
【０１０８】
１、１Ｘ，１Ａ、１Ｂ、１Ｃ  蒸着装置
２  チャンバ
３  チャンバ排気口
４  仕切板
４ａ  窓
５ａ  搬入口
５ｂ  搬出口
６、６Ｘ，６Ａ、６Ｂ、６Ｃ  蒸着源
７  シャッタ
１０  坩堝
２０  筐体
２１  筐体本体部
２１ａ  底板
２１ｂ  周壁
２２  筐体蓋部
２３  吐出口
３０  加熱部
５１、５３  排気管
５２  吸気管
６１、６２、６３  弁（開閉機構）
７１  排気手段
７２  吸気手段
１００  基板（蒸着対象物）
１０１  蒸着材料
【図１】
2015136859.tif 000003
【図２】
2015136859.tif 000004
【図３】
2015136859.tif 000005
【図４】
2015136859.tif 000006
【図５】
2015136859.tif 000007
【図６】
2015136859.tif 000008
【図７】
2015136859.tif 000009
【図８】
2015136859.tif 000010
【図９】
2015136859.tif 000011
【図１０】
2015136859.tif 000012
【図１１】
2015136859.tif 000013
【図１２】
2015136859.tif 000014
【国際調査報告】
2015136859.tif 000015
2015136859.tif 000016
2015136859.tif 000017
2015136859.tif 000018